(57)【要約】      （修正有）【課題】振動を抑制できるファンモータを提供する。【解決手段】インペラ１２Ａは、ステータ２０Ａの径方向外側に配置され、ロータ３０Ａとともに回転する。ベースプレート４０Ａは、ステータ２０Ａの下方に配置される内周部４１Ａと、内周部４１Ａの径方向外側かつインペラ１２Ａの下方において内周部４１Ａと間隔を開けて配置される外周部４２Ａと、内周部４１Ａと外周部４２Ａとを接続する接続部４３Ａとを有する。樹脂部５０Ａは、内周部４１Ａの上面および接続部４３Ａの上面を覆う上面部５１Ａと、内周部４１Ａの下面および接続部４３Ａの下面を覆う下面部５２Ａと、を有する。これにより、内周部および接続部の振動の減衰比が高まる。よって、モータにより生じる振動が、外部に伝達しにくい。【選択図】図１
2015089234.tif 000002
【特許請求の範囲】
【請求項１】
モータとインペラとを有するファンモータであって、
前記モータは、
電機子を有する、ステータと、
上下に延びる回転軸を中心として回転する、ロータと、
前記ステータの下方に配置され、径方向に拡がる、金属製のベースプレートと、
前記ベースプレートの一部を覆う、樹脂部と、
を有し、
前記インペラは、前記ステータの径方向外側に配置され、かつ、前記ロータとともに回転し、
前記ベースプレートは、
前記ステータの下方に配置される、内周部と、
前記内周部の径方向外側かつ前記インペラの下方において、前記内周部と間隔を開けて配置される、外周部と、
前記内周部と前記外周部とを接続する、接続部と、
を有し、
前記樹脂部は、
前記内周部の上面および前記接続部の上面を覆う、上面部と、
前記内周部の下面および前記接続部の下面を覆う、下面部と、
を有し、
前記外周部の少なくとも上面は、前記樹脂部から露出する、ファンモータ。
【請求項２】
請求項１に記載のファンモータであって、
前記樹脂部は、
前記内周部の側面および前記接続部の側面を覆い、かつ、前記上面部と前記下面部とを接続する、側面部
をさらに有する、ファンモータ。
【請求項３】
請求項１または請求項２に記載のファンモータであって、
前記樹脂部は、射出成型により得られる、ファンモータ。
【請求項４】
請求項３に記載のファンモータであって、
前記ベースプレートは、前記内周部に、上下に貫通する貫通孔を複数有する、ファンモータ。
【請求項５】
請求項１から請求項４までのいずれかに記載のファンモータであって、
前記外周部の下面は、前記樹脂部から露出する、ファンモータ。
【請求項６】
請求項１から請求項５までのいずれかに記載のファンモータであって、
前記内周部の下面は、前記外周部の下面よりも上方に配置される、ファンモータ。
【請求項７】
請求項６に記載のファンモータであって、
前記接続部は、径方向内側から径方向外側に向かって下方に傾斜する傾斜部を有する、ファンモータ。
【請求項８】
請求項７に記載のファンモータであって、
前記傾斜部の外端は、前記接続部と前記外周部との境界部よりも径方向内側に配置される、ファンモータ。
【請求項９】
請求項７に記載のファンモータであって、
前記傾斜部の外端は、前記接続部と前記外周部との境界部であり、
前記外周部は、前記境界部の周方向の両側に、外方に向けて窪む切り欠きを有する、ファンモータ。
【請求項１０】
請求項６から請求項９までのいずれかに記載のファンモータであって、
前記下面部の下端面の軸方向の高さは、前記外周部の下端面の軸方向の高さと略同一である、ファンモータ。
【請求項１１】
請求項１から請求項１０までのいずれかに記載のファンモータであって、
前記ロータは、シャフトを有し、
前記ステータは、前記シャフトを回転自在に支持する軸受を有し、
前記樹脂部が、前記軸受を保持する、上下に延びる略円筒形状の前記軸受保持部を有する、ファンモータ。
【請求項１２】
請求項１１に記載のファンモータであって、
前記樹脂部が、
前記上面部の上面と、前記軸受保持部の下端部付近の側面とを繋ぐ、補強部
をさらに有する、ファンモータ。
【請求項１３】
請求項１から請求項１２までのいずれかに記載のファンモータであって、
前記樹脂部と前記電機子との間に基板が配置される、ファンモータ。
【請求項１４】
請求項１３に記載のファンモータであって、
前記電機子がコイルを有し、
前記樹脂部は、
前記内周部と前記外周部との間において、前記基板から延びるリード線を囲む、リード線引き出し部
をさらに有し、
前記リード線引き出し部は、上下に貫通する貫通孔を有する環状、または、切り欠き状である、ファンモータ。
【発明の詳細な説明】
【技術分野】
【０００１】
本発明は、ファンモータに関する。
【背景技術】
【０００２】
従来、ノート型パソコン等の電子機器には、内部冷却用の遠心ファンが、搭載されている。遠心ファンは、モータの駆動力によりインペラを回転させ、電子機器を構成する筐体の内部に、気流を発生させる。これにより、筐体の内部に配置されたＣＰＵ等の電子部品が冷却される。従来のファンモータの構造は、例えば、特開２００９−０２７８２１号公報に記載されている。
【０００３】
特開２００９−０２７８２１号公報に記載のモータでは、軸受ハウジングと接続するファンモータのベース部には、金属材料で形成された薄板材が用いられている（段落００５１）。
【０００４】
【特許文献１】特開２００９−０２７８２１号公報
【特許文献２】米国特許第８０７２１０１号明細書
【発明の概要】
【発明が解決しようとする課題】
【０００５】
近年では、ノート型パソコン等の電子機器のコンパクト化に伴い、電子機器に内蔵される電子部品のコンパクト化の要求が強まっている。また、電子部品を小さくするとともに、電子部品に与える振動を抑制する要求がさらに強まっている。特に、振動は、ハードディスクドライブ（ＨＤＤ）等の電子部品に大きな影響を及ぼすため、抑制する必要性が高い。
【０００６】
ファンモータでは、主にロータの回転や、駆動電流のスイッチングによるステータの励磁振動によって、振動が生じる。従って、電子機器に内蔵される電子部品の振動を抑制するためには、振動発生源であるロータおよびステータを支持する軸受支持部からベース部を介してファンモータの外部へと伝わる振動を抑制することが必要となる。
【０００７】
この点について、米国特許第８０７２１０１号明細書に記載のファンモータでは、ベースを構成する金属製のプレート部材が、モータの電機子の下方に位置する突出部と、突出部の周囲に配置された平面部とを有する。そして、平面部の下面を樹脂製のアウターケースが覆っている。これにより、ベースが十分な強度を有している（Ｃｏｌｕｍｎ３）。
【０００８】
しかしながら、米国特許第８０７２１０１号明細書に記載のファンモータでは、上方にインペラが配置される平面部の上面が、上方に電機子が配置される突出部の上面よりも上方に位置している。すなわち、平面部の下面にアウターケースを配置することにより、ファンの風洞体積が減少し、ファン性能を低下させる虞がある。
【０００９】
本発明の目的は、ファン性能を低下させることなく、外部へと伝達する振動を抑制できるファンモータを提供することである。
【課題を解決するための手段】
【００１０】
本願の例示的な第１発明は、モータとインペラとを有するファンモータであって、前記モータは、電機子を有する、ステータと、上下に延びる回転軸を中心として回転する、ロータと、前記ステータの下方に配置され、径方向に拡がる、金属製のベースプレートと、前記ベースプレートの一部を覆う、樹脂部と、を有し、前記インペラは、前記ステータの径方向外側に配置され、かつ、前記ロータとともに回転し、前記ベースプレートは、前記ステータの下方に配置される、内周部と、前記内周部の径方向外側かつ前記インペラの下方において、前記内周部と間隔を開けて配置される、外周部と、前記内周部と前記外周部とを接続する、接続部と、を有し、前記樹脂部は、前記内周部の上面および前記接続部の上面を覆う、上面部と、前記内周部の下面および前記接続部の下面を覆う、下面部と、を有し、前記外周部の少なくとも上面は、前記樹脂部から露出する、ファンモータである。
【発明の効果】
【００１１】
本願の例示的な第１発明によれば、振動の減衰比が金属よりも高い樹脂部がベースプレートの内周部および接続部を覆っていることにより、モータにより生じる振動が、外周部に伝わりにくい。また、外周部の少なくとも上面には樹脂部が配置されない。これにより、外周部上方における風洞体積の低下が抑制される。これにより、ファン性能の低下が抑制できる。
【図面の簡単な説明】
【００１２】
【図１】図１は、第１実施形態に係るファンモータの縦断面図である。
【図２】図２は、第２実施形態に係るファンモータの縦断面図である。
【図３】図３は、第２実施形態に係るベースプレートの上面図である。
【図４】図４は、第２実施形態に係るベースプレートおよび樹脂部の上面図である。
【図５】図５は、第２実施形態に係るベースプレートの部分上面図である。
【図６】図６は、一変形例に係るベースプレートの部分上面図である。
【発明を実施するための形態】
【００１３】
以下、本発明の例示的な実施形態について、図面を参照しながら説明する。なお、本願では、ファンモータの回転軸と平行な方向を「軸方向」、ファンモータの回転軸に直交する方向を「径方向」、ファンモータの回転軸を中心とする円弧に沿う方向を「周方向」、とそれぞれ称する。また、本願では、軸方向を上下方向とし、ベースプレートに対して電機子側を上として、各部の形状や位置関係を説明する。ただし、この上下方向の定義により、本発明に係るファンモータの使用時の向きを限定する意図はない。
【００１４】
また、本願において「平行な方向」とは、略平行な方向も含む。また、本願において「直交する方向」とは、略直交する方向も含む。
【００１５】
＜１．第１実施形態＞
図１は、本発明の第１実施形態に係るファンモータ１Ａの縦断面図である。図１に示すように、ファンモータ１Ａは、モータ１１Ａと、インペラ１２Ａとを有する。
【００１６】
モータ１１Ａは、ベース部２１Ａと、ステータ２０Ａと、ロータ３０Ａと、を有する。
【００１７】
ベース部２１Ａは、ベースプレート４０Ａと、樹脂部５０Ａとを有する。ベースプレート４０Ａは、金属製の板状部材である。また、ベースプレート４０Ａは、ステータ２０Ａおよびインペラ１２Ａの下方に配置され、径方向に拡がる。ベースプレート４０Ａは、内周部４１Ａと、外周部４２Ａと、接続部４３Ａとを有する。内周部４１Ａは、ステータ２０Ａの下方に配置される。外周部４２Ａは、内周部４１Ａの径方向外側かつインペラ１２Ａの下方において、内周部４１Ａと間隔を開けて配置される。接続部４３Ａは、内周部４１Ａと外周部４２Ａとを接続する。
【００１８】
ステータ２０Ａは、電機子２２Ａを有する。ロータ３０Ａは、上下に延びる回転軸９Ａを中心として回転する。
【００１９】
樹脂部５０Ａは、ベースプレート４０Ａの一部を覆う。樹脂部５０Ａは、上面部５１Ａおよび下面部５２Ａを有する。上面部５１Ａは、内周部４１Ａの上面および接続部４３Ａの上面を覆う。下面部５２Ａは、内周部４１Ａの下面および接続部４３Ａの下面を覆う。また、外周部４２Ａの上面は、樹脂部５０Ａから露出する。
【００２０】
インペラ１２Ａは、ステータ２０Ａの径方向外側に配置される。インペラ１２Ａは、ロータ３０Ａとともに回転する。
【００２１】
このように、樹脂部５０Ａが内周部４１Ａおよび接続部４３Ａを覆っていることにより、内周部４１Ａおよび接続部４３Ａ付近における振動の減衰比が高まる。これにより、モータにより生じる振動が、外周部４２Ａに伝わりにくい。また、外周部４２Ａの上面は、樹脂部５０Ａから露出するため、外周部５２Ａの上方における風洞体積の低下が抑制される。これにより、ファン性能の低下が抑制できる。
【００２２】
＜２．第２実施形態＞
＜２−１．ファンモータの構成について＞
続いて、本発明の第２実施形態について、説明する。図２は、第２実施形態に係るファンモータ１の縦断面図である。
【００２３】
このファンモータ１は、ノート型パソコンやタブレット型パソコン等の電子機器に搭載され、内部冷却用の気流を発生させるために使用される。ただし、本発明のファンモータは、冷却以外の目的で、気流を発生させるものであってもよい。また、本発明のファンモータは、パソコン以外の家電製品、自動車等の輸送機器、医療機器等に搭載されるものであってもよい。
【００２４】
図２に示すように、本実施形態のファンモータ１は、モータ１１、インペラ１２、およびケーシング１３を有する。
【００２５】
モータ１１は、駆動電流に応じてトルクを発生させ、インペラ１２を回転させる機構である。モータ１１は、ベース部２１と、ステータ２０と、ロータ３０とを有する。ステータ２０は、ケーシング１３およびベース部２１に対して相対的に静止している。ロータ３０は、ステータ２０に軸受機構１１０を介して支持されている。
【００２６】
ベース部２１は、ベースプレート４０および樹脂部５０を有する。ベース部２１は、軸方向に貫通する、下側通気口２１０を有する。ベースプレート４０は、ステータ２０、ロータ３０、およびインペラ１２の下側において、略板状に拡がる。ベースプレート４０は、例えば、亜鉛めっき鋼板等の金属を、プレス加工することにより得られる。樹脂部５０は、ベースプレート４０の上面、下面および側面の一部を覆う。ベース部２１の詳細な形状については、後述する。
【００２７】
ステータ２０は、電機子２２、回路基板２３、軸受２４、および軸受保持部２５を有する。
【００２８】
電機子２２は、ステータコア６１、インシュレータ６２、および、複数のコイル６３を有する。ステータコア６１は、例えば、電子鋼板が軸方向に積層された積層鋼板からなる。また、ステータコア６１は、円環状のコアバック６１１と、複数のティース６１２とを有する。コアバック６１１は、軸受保持部２５の外周面に、固定されている。複数のティース６１２は、コアバック６１１から径方向外側へ向けて、放射状に延びている。
【００２９】
インシュレータ６２は、絶縁体である樹脂により形成される。各ティース６１２の上面、下面、および周方向の両端面は、インシュレータ６２に覆われている。コイル６３は、ティース６１２にインシュレータ６２を介して巻かれた導線によって構成される。インシュレータ６２は、ティース６１２とコイル６３との間に介在することによって、ティース６１２とコイル６３とが電気的に短絡することを、防止している。複数のティース６１２および複数のコイル６３は、回転軸９の周りにおいて、周方向に略等間隔に配列されている。
【００３０】
回路基板２３には、コイル６３へ駆動電流を供給するための電子回路が搭載されている。回路基板２３は、インシュレータ６２の下端部に、例えば接着剤で固定されている。すなわち、回路基板２３は、電機子２２と樹脂部５０との間に配置されている。これにより、回路基板２３とベースプレート４０とが電気的に短絡することが、防止できる。
【００３１】
軸受２４は、後述するシャフト３１の周囲において、軸方向に略円筒状に延びている。軸受２４の内周面は、シャフト３１の外周面と、径方向に対向する。軸受２４は、軸受保持部２５の内部に保持されている。軸受保持部２５は、上下に延びる略円筒形状の部位である。本実施形態の軸受保持部２５は、樹脂部５０と一体に形成されている。
【００３２】
ロータ３０は、シャフト３１、ロータホルダ３２、および複数のマグネット３３を有する。
【００３３】
シャフト３１は、回転軸９に沿って軸方向に柱状に延びている。シャフト３１の下部は、軸受２４の内側に挿入されている。これにより、シャフト３１は、軸受２４に回転自在に支持される。シャフト３１の上端部は、軸受２４の上端部より上方へ突出している。シャフト３１の材料には、例えば、ステンレス等の金属が使用される。
【００３４】
シャフト３１と、軸受２４および軸受保持部２５との間には、潤滑液が介在している。シャフト３１は、潤滑液を介して、軸受２４および軸受保持部２５に対して、回転自在に支持されている。すなわち、このモータ１１では、軸受２４、シャフト３１、および軸受保持部２５が、ステータ２０とロータ３０とを相対回転可能に接続する軸受機構１１０を、構成している。潤滑液には、例えば、ポリオールエステル系オイルや、ジエステル系オイルが使用される。
【００３５】
ロータホルダ３２は、円板部３２１と円筒部３２２とを有する、カップ状の部材である。円板部３２１は、電機子２２の上方において、径方向に拡がっている。円板部３２１の中央部は、シャフト３１の上端部に固定されている。円筒部３２２は、円板部３２１の外端部から、下方へ向けて略円筒状に延びている。ロータホルダ３２の材料には、例えば樹脂が使用される。
【００３６】
複数のマグネット３３は、円筒部３２２の内周面に、磁性体のヨーク３３１を介して、固定されている。各マグネット３３の内周面は、ティース６１２の外側端面と径方向に対向する磁極面となっている。複数のマグネット３３は、Ｎ極の磁極面とＳ極の磁極面とが交互に並ぶように、周方向に等間隔に配列される。なお、複数のマグネット３３に代えて、円環状のマグネットが使用されていてもよい。円環状のマグネットを使用する場合には、その内周面に、Ｎ極とＳ極とが、周方向に交互に着磁されたマグネットを使用すればよい。
【００３７】
インペラ１２は、円環状のインペラ基部１２１と、複数の羽根１２２を有する。インペラ基部１２１は、ロータホルダ３２の円筒部３２２の外周面に、固定されている。複数の羽根１２２は、周方向に等間隔に配列されている。各羽根１２２は、インペラ基部１２１から径方向外側へ向けて延びている。本実施形態のインペラ１２は、樹脂の射出成型により、ロータホルダ３２と一体に成型されている。ただし、インペラ１２とロータホルダ３２とが別体の部材で構成されていてもよい。また、インペラ１２がインペラ基部１２１を持たず、複数の羽根１２２のそれぞれが円筒部３２２の外周面に固定されていてもよい。
【００３８】
ケーシング１３は、天板部１３１と側壁部１３２とを有する。天板部１３１は、インペラ１２の上方において、径方向に拡がっている。側壁部１３２は、天板部１３１の外端部から、下方へ向けて延びている。側壁部１３２の下端部は、ベースプレート４０の外端部に、接続されている。モータ１１のロータ３０およびインペラ１２は、ベースプレート４０とケーシング１３とで構成される筐体の内部空間に、収容されている。
【００３９】
天板部１３１には、上下に貫通する上側通気口１３３が設けられている。上側通気口１３３は、モータ１１およびインペラ１２の上方に位置し、回転軸９と略同軸に配置されている。また、側壁部１３２には、ケーシング１３の内部と外部とを連通する排気口１３４が、設けられている。
【００４０】
回路基板２３を介してコイル６３に駆動電流を供給すると、ステータコア６１の複数のティース６１２に、磁束が発生する。そして、ティース６１２とマグネット３３との間の磁束の作用により、周方向のトルクが生じる。その結果、ロータ３０およびインペラ１２が、回転軸９を中心として回転する。
【００４１】
インペラ１２が回転すると、ファンモータ１の上方および下方の空間から上側通気口１３３および下側通気口２１０を通ってケーシング１３の内部へ、気体が取り込まれる。ケーシング１３内に取り込まれた気体は、インペラ１２による遠心力を受け、天板部１３１、側壁部１３２、および後述する外周部４２に囲まれた風洞１３０を、周方向に流れる。その後、気体は、風洞１３０から排気口１３４を通って、ファンモータ１の側方へ排出される。
【００４２】
＜２−２．ベース部の構成について＞
続いて、図２から図５を参照しつつ、ベース部２１について詳細に説明する。図３は、ベースプレート４０の上面図である。図４は、ベース部２１の上面図である。図５は、ベースプレート４０の部分上面図である。
【００４３】
図２および図３に示すように、ベースプレート４０は、内周部４１、外周部４２、および、接続部４３を有する。内周部４１は、電機子２２の下方において、径方向に拡がっている。外周部４２は、内周部４１の径方向外側において、内周部４１と径方向に間隔を開けて配置される。また、外周部４２は、インペラ１２の下方に配置される。接続部４３は、内周部４１と外周部４２とを径方向に接続する。本実施形態のベースプレート４０は、接続部４３を３つ有する。当該構成により、ベース部２１は、内周部４１、外周部４２、および接続部４３に囲まれた、軸方向に貫通する、３つの下側通気口２１０を有する。
【００４４】
図２および図４に示すように、樹脂部５０は、上面部５１、下面部５２、側面部５３、リード線引き出し部５４、および、軸受保持部２５を有する。上面部５１は、ベースプレート４０の内周部４１および接続部４３の上面を覆う。下面部５２は、ベースプレート４０の内周部４１および接続部４３の下面を覆う。また、側面部５３は、内周部４１の側面および接続部４３の側面を覆い、かつ、上面部５１と下面部５２とを接続する。側面部５３が上面部５１と下面部５２とを接続することにより、樹脂部５０がベースプレート４０から剥がれるのが抑制される。また、側面部５３が上面部５１と下面部５２とを接続することにより、樹脂部５０の強度が向上する。
【００４５】
ベースプレート４０の内周部４１および接続部４３の表面を樹脂部５０が覆っていることにより、内周部４１および接続部４３付近における振動の減衰比が高まる。これにより、ファンモータ１の駆動時に軸受機構１１０付近で生じる振動が、外周部４２へ伝わりにくい。すなわち、ファンモータ１の外部へと伝達する振動を抑制できる。
【００４６】
特に、本実施形態では、樹脂部５０が、接続部４３の上面、下面、および側面の内端から外端までを覆っている。すなわち、振動が生じる軸受機構１１０付近に配置された内周部４１から外周部４２へと振動を伝達する接続部４３付近において、ベース部２１の振動の減衰比がより高まる。したがって、ファンモータ１の外部へと伝達する振動が、より抑制できる。このように、接続部４３の表面のなるべく広い部分を樹脂部５０が覆っていることが好ましい。
【００４７】
なお、樹脂部５０の上面部５１、下面部５２、および側面部５３は、それぞれ、内周部４１および接続部４３の上面、下面、および側面の全体を覆っていなくてもよい。内周部４１および接続部４３の上面、下面、および側面のそれぞれは、一部が樹脂部５０から露出してもよい。
【００４８】
リード線引き出し部５４は、図４に示すように、内周部４１の径方向外側、かつ、外周部４２の径方向内側に配置される。リード線引き出し部５４は、軸方向に貫通する引き出し孔５４１を有する。回路基板２３から延びるリード線は、引き出し孔５４１を通ってベース部２１の下方へと引き出される。すなわち、リード線引き出し部５４は、内周部４１と外周部４２との間において、回路基板２３から延びるリード線を囲む。このようにすれば、リード線が、金属製のベースプレート４０に直接接触しない。したがって、リード線の損傷が抑制される。
【００４９】
なお、本実施形態では、リード線引き出し部５４は、貫通孔である引き出し孔５４１を有する環状であるが、本発明はこれに限られない。リード線引き出し部５４は、切り欠き状であり、回路基板２３から延びるリード線が当該切り欠きの内部を通ってベース部２１の下方へと引き出されてもよい。
【００５０】
図２に示すように、軸受保持部２５の下端部は、上面部５１と繋がっている。樹脂部５０が軸受機構１１０を構成する軸受保持部２５を有することにより、軸受機構１１０付近で生じる振動が、樹脂部５０により吸収されやすい。また、樹脂部５０は、上面部５１の上面と、軸受保持部２５の下端部付近の側面とを繋ぐ、補強部２５１を有する。これにより、軸受保持部２５と上面部５１との接続箇所において、剛性が増す。したがって、ファンモータ１の駆動時に軸受機構１１０付近で生じる振動が、外周部４２へより伝わりにくい。
【００５１】
なお、図４に示すように、本実施形態では、軸受保持部２５の下端部の周囲に、複数の補強部２５１が、周方向に等間隔に配置されている。ただし、補強部２５１は、環状に繋がっていてもよい。
【００５２】
樹脂部５０は、ベースプレート４０を挿入部品とした射出成型により得られる。本実施形態では、樹脂部５０の射出成型は、挿入部品の一部が金型から露出した状態で金型内に溶融樹脂が射出される、いわゆるアウトサート成型により行われる。なお、樹脂部５０の射出成型は、挿入部品の全体が金型の内部に配置された状態で金型内に溶融樹脂が射出される、いわゆるインサート成型により行われてもよい。
【００５３】
図２および図３に示すように、ベースプレート４０の内周部４１には、上下に貫通する複数の貫通孔４１１が設けられている。これにより、樹脂部５０を射出成型する際に、内周部４１の上面側および下面側のいずれか一方側から溶融樹脂が射出された時に、他方側に溶融樹脂が回り込みやすい。したがって、樹脂部５０の成型精度が向上する。本実施形態では、内周部４１の下面側から溶融樹脂が射出されるため、内周部４１の下面側から軸受保持部２５の上方まで溶融樹脂が回り込む必要がある。そのため、貫通孔４１１が特に有用である。
【００５４】
また、本実施形態では、ベースプレート４０の外周部４２の上面および下面は、いずれも、樹脂部５０から露出している。このため、外周部４２の上面は、樹脂部５０の上面部５１の上面よりも軸方向に下側に位置する。これにより、外周部４２の上方における風洞体積の低下が抑制される。これにより、ファンモータ１のファン性能の低下が抑制できる。
【００５５】
図２に示すように、ベースプレート４０の接続部４３は、径方向内側から径方向外側に向かって下方に傾斜する傾斜部４３１を有する。これにより、内周部４１の下面が、外周部４２の下面よりも上方に配置される。また、樹脂部５０の下面部５２の下端面の軸方向の高さは、外周部４２の下端面の軸方向の高さと略同一である。そのため、ベースプレート４０の下面が平らである。したがって、ベースプレート４０の下面を搭載する電子機器の筐体に載置あるいは取り付ける場合に、安定度が向上する。
【００５６】
また、接続部４３が傾斜部４３１を有することにより、外周部４２の上面が、樹脂部５０の上面部５１の上端面よりもさらに軸方向下方に配置される。したがって、外周部４２の上方における風洞体積の低下がより抑制される。これにより、ファンモータ１のファン性能の低下がより抑制できる。
【００５７】
図５に示すように、傾斜部４３１の外端は、外周部４２と接続部４３との境界部４４よりも径方向内側に配置される。これにより、ベースプレート４０がプレス成形される際に、外周部４２に歪みが生じるのが抑制される。
【００５８】
＜３．変形例＞
以上、本発明の例示的な実施形態について説明したが、本発明は上記の実施形態に限定されるものではない。
【００５９】
図６は、一変形例に係るベースプレート４０Ｂの部分上面図である。図６の例では、接続部４３Ｂの傾斜部４３１Ｂの外端が、外周部４２Ｂと接続部４３Ｂとの境界部４４Ｂとなっている。また、外周部４２Ｂは、境界部４４Ｂの周方向の両側に、外方へ向けて窪む切り欠き４２１Ｂを有する。
【００６０】
このように、傾斜部４３１Ｂの外端、すなわち、ベースプレート４０Ｂの傾斜が始まる屈曲箇所の両側に切り欠き４２１Ｂを設けることにより、ベースプレート４０Ｂがプレス成形される際に、外周部４２Ｂに歪みが生じるのが抑制される。
【００６１】
また、上記の実施形態では、ベースプレートの接続部が３つであったが、本発明はこれに限られない。接続部は２つであってもよいし、４つ以上であってもよい。
【００６２】
また、上記の実施形態では、接続部の傾斜部は、接続部の外端部付近に配置されていたが、本発明はこの限りではない。傾斜部は、接続部の径方向中央付近に配置されてもよいし、接続部の内端部付近に配置されてもよい。
【００６３】
また、上記の実施形態では、ベースプレート４０の外周部４２の上面および下面の両方が、樹脂部５０から露出していたが、外周部４２の下面は、樹脂部５０に覆われていてもよい。また、外周部４２の上面に、局所的に樹脂に覆われた部分が存在してもよい。
【００６４】
また、上記の実施形態のファンモータは、電機子の外側にロータのマグネットが配置された所謂アウターロータ型のモータであったが、本発明はこれに限られない。本発明のファンモータは、ロータのマグネットの外側に電機子が配置された、所謂インナーロータ型のモータであってもよい。
【００６５】
また、ファンモータの細部の構成については、本願の各図に示された構造と、相違していてもよい。例えば、モータの軸受機構に、流体動圧軸受に代えて、滑り軸受等の他方式の軸受が、使用されていてもよい。
【００６６】
また、上記の実施形態や変形例に登場した各要素を、矛盾が生じない範囲で、適宜に組み合わせてもよい。
【産業上の利用可能性】
【００６７】
本発明は、ファンモータに利用できる。
【符号の説明】
【００６８】
１，１Ａ  ファンモータ
９，９Ａ  回転軸
１１，１１Ａ  モータ
１２，１２Ａ  インペラ
１３  ケーシング
２０，２０Ａ  ステータ
２１，２１Ａ  ベース部
２２，２２Ａ  電機子
２３  回路基板
２４  軸受
２５  軸受保持部
３０，３０Ａ  ロータ
４０，４０Ａ，４０Ｂ  ベースプレート
４１，４１Ａ  内周部
４２，４２Ａ，４２Ｂ  外周部
４３，４３Ａ，４３Ｂ  接続部
４４，４４Ｂ  境界部
５０，５０Ａ  樹脂部
５１，５１Ａ  上面部
５２，５２Ａ  下面部
５３  側面部
５４  リード線引き出し部
６１  ステータコア
６２  インシュレータ
６３  コイル
１１０  軸受機構
１３０  風洞
２５１  補強部
４１１  貫通孔
４２１Ｂ  切り欠き
４３１，４３１Ｂ  傾斜部
５４１  引き出し孔
【図１】
2015089234.tif 000003
【図２】
2015089234.tif 000004
【図３】
2015089234.tif 000005
【図４】
2015089234.tif 000006
【図５】
2015089234.tif 000007
【図６】
2015089234.tif 000008